(57)【要約】【課題】装置の小型化が可能で、かつ配線間の誘導起電力による電磁誘導ノイズを低減することができる電流検出装置、及び電流検出方法を提供する。【解決手段】電流路１を流れる電流により発生する磁界の強度を検出する磁気検出素子３，４，５，６と、磁気検出素子の出力から、電流路１を流れる電流の大きさを検出する検出回路７と、磁気検出素子に接続され、電流路１から離れる方向へ伸びる複数の配線１３ａ，１３ｂ，１３ｃ，１３ｄ，１３ｅ，１３ｆと、を備える。磁気検出素子３，４，５，６は、感磁軸の方向が、電流路１の通電方向と平行で、かつ複数の配線１３ａ，１３ｂ，１３ｃ，１３ｄ，１３ｅ，１３ｆの伸びる方向とも平行な第１の面２０上に存在するように設置され、複数の配線１３ａ，１３ｂ，１３ｃ，１３ｄ，１３ｅ，１３ｆは、第１の面と直交する第２の面３０／３０’の同一面上に配置されている。
2016056137.tif 000002
【特許請求の範囲】
【請求項１】
電流路を流れる電流により発生する磁界の強度を検出する磁気検出素子と、
前記磁気検出素子の出力から、前記電流路を流れる電流の大きさを検出する検出回路と、
前記磁気検出素子に接続され、前記電流路から離れる方向へ伸びる複数の配線と、を備え、
前記磁気検出素子は、感磁軸の方向が、前記電流路の通電方向と平行で、かつ前記複数の配線の伸びる方向とも平行な第１の面上に存在するように設置され、
前記複数の配線は、前記第１の面と直交する第２の面の同一面上に配置された、
電流検出装置。
【請求項２】
前記第２の面は、前記電流路の通電方向と直交する、
請求項１に記載の電流検出装置。
【請求項３】
前記第２の面は、前記電流路の通電方向と直交する面に対して、前記電流路の通電方向に傾いている、
請求項１に記載の電流検出装置。
【請求項４】
前記磁気検出素子が搭載された配線基板を備え、
前記配線基板は、複数の配線層からなる多層構造を有し、
前記複数の配線は、前記配線基板の複数の配線層に、前記配線基板の厚さ方向に離れて配置された、
請求項１乃至４のいずれか１項に記載の電流検出装置。
【請求項５】
電流路を流れる電流により発生する磁界の強度を検出する磁気検出素子と、
前記磁気検出素子に接続され、前記電流路から離れる方向へ伸びる複数の配線と、を設け、
前記磁気検出素子を、感磁軸の方向が、前記電流路の通電方向と平行で、かつ前記複数の配線の伸びる方向とも平行な第１の面上に存在するように設置し、
前記複数の配線を、前記第１の面と直交する第２の面の同一面上に配置して、
前記磁気検出素子の出力から、前記電流路を流れる電流の大きさを検出する、
電流検出方法。
【請求項６】
前記第２の面を、前記電流路の通電方向と直交させた、
請求項５に記載の電流検出方法。
【請求項７】
前記第２の面を、前記電流路の通電方向と直交する面に対して、前記電流路の通電方向に傾けた、
請求項５に記載の電流検出方法。
【請求項８】
前記磁気検出素子を、複数の配線層からなる多層構造を有する配線基板に搭載し、
前記複数の配線を、前記配線基板の複数の配線層に、前記配線基板の厚さ方向に離して配置する、
請求項５乃至７のいずれか１項に記載の電流検出方法。
【発明の詳細な説明】
【技術分野】
【０００１】
本発明は、磁気検出素子を用いて電流路に流れる電流を検出する電流検出装置、及び電流検出方法に関する。
【背景技術】
【０００２】
例えば、ハイブリット車や電気自動車等におけるモータ駆動技術等の分野では、比較的大きな電流が取り扱われるため、大電流を非接触で測定可能な電流検出装置が要求されている。このような電流検出装置として、磁気検出素子を用い、被測定電流によって生じた磁界の強度を検出して、被測定電流の大きさを検出するものがある。磁気検出素子としては、ホール効果を利用したホール素子や、異方性磁気抵抗効果（ＡＭＲ：Anisotropic Magneto-Resistive effect）を利用したＡＭＲ素子、巨大磁気抵抗効果（ＧＭＲ：Giant Magneto-Resistive effect）を利用したＧＭＲ素子、トンネル磁気抵抗効果（ＴＭＲ：Tunnel Magneto-Resistive effect）を用いたＴＭＲ素子等がある。【０００３】
磁気検出素子は、測定対象の電流路に近接して設置され、磁気検出素子に対して信号を入出力するための配線も、電流路に近接して設置される。そのため、電流路に数十ｋＨｚ〜数百ｋＨｚほどの高周波の電流値変動が生じると、磁気検出素子の配線間に誘導起電力が発生し、電磁誘導ノイズが磁気検出素子の出力に上乗せされて、検出精度が低下する。従来、２つの磁気検出素子を用いる場合に、２つの出力配線の導電パターンへのインピーダンスを調整して、電圧変動によるノイズ成分をキャンセルすることが行われていた（例えば、特許文献１参照）。
【先行技術文献】
【特許文献】
【０００４】
【特許文献１】特開２０１２−２２５８７２号公報
【発明の概要】
【発明が解決しようとする課題】
【０００５】
特許文献１に記載の電流センサでは、２つの磁気検出素子が、電流線の延在方向に対して主表面が略直交するように配置された、配線基板の主表面に配置されている。従って、磁気検出素子及び配線基板が、いずれも電流線と略直交する面上に広がり、装置の小型化の妨げとなっていた。特に、３相モータへ電流を供給する電流路等のように、複数の電流路が並列して設置される場合、電流検出装置は、電流路の並列方向において、できるだけ小型化することが望まれる。【０００６】
また、特許文献１に記載の電流センサでは、磁気検出素子の出力配線についてのみ考慮され、駆動電流の配線や接地線等の他の配線については考慮されていなかった。【０００７】
本発明は、装置の小型化が可能で、かつ配線間の誘導起電力による電磁誘導ノイズを低減することができる電流検出装置、及び電流検出方法を提供することを目的とする。
【課題を解決するための手段】
【０００８】
本発明は、上記課題を解決することを目的として、電流路を流れる電流により発生する磁界の強度を検出する磁気検出素子と、磁気検出素子の出力から、電流路を流れる電流の大きさを検出する検出回路と、磁気検出素子に接続され、電流路から離れる方向へ伸びる複数の配線と、を備え、磁気検出素子は、感磁軸の方向が、電流路の通電方向と平行で、かつ複数の配線の伸びる方向とも平行な第１の面上に存在するように設置され、複数の配線は、第１の面と直交する第２の面の同一面上に配置された、電流検出装置を提供する。【０００９】
また、本発明は、上記課題を解決することを目的として、電流路を流れる電流により発生する磁界の強度を検出する磁気検出素子と、磁気検出素子に接続され、電流路から離れる方向へ伸びる複数の配線と、を設け、磁気検出素子を、感磁軸の方向が、電流路の通電方向と平行で、かつ複数の配線の伸びる方向とも平行な第１の面上に存在するように設置し、複数の配線を、第１の面と直交する第２の面の同一面上に配置して、磁気検出素子の出力から、電流路を流れる電流の大きさを検出する、電流検出方法を提供する。
【発明の効果】
【００１０】
本発明によれば、装置の小型化が可能で、かつ配線間の誘導起電力による電磁誘導ノイズを低減することができる電流検出装置、及び電流検出方法を提供することが可能となる。従って、小型の構成で、電流路を流れる電流により発生する磁界を高精度に検出して、電流路を流れる電流を精度良く検出することができる。
【図面の簡単な説明】
【００１１】
【図１】本発明の第１の実施の形態に係る電流検出装置を説明する図である。
【図２】本発明の第１の実施例に係る電流検出装置の斜視図である。
【図３】本発明の第１の実施例に係る電流検出装置の上面図である。
【図４】磁気検出部２の構成を示す図である。
【図５】図３のＡ−Ａ線断面図である。
【図６】配線基板１０の各配線層を示す図である。
【図７】本発明の第２の実施の形態に係る電流検出装置を説明する図である。
【図８】本発明の第２の実施例に係る電流検出装置の斜視図である。
【図９】本発明の第２の実施例に係る電流検出装置の上面図である。
【発明を実施するための形態】
【００１２】
［第１の実施の形態］
図１は、本発明の第１の実施の形態に係る電流検出装置を説明する図である。破線で示す電流路１を、矢印Ｉの方向（Ｘ方向）に電流が流れるとき、電流路１の真下の位置では、矢印Ｂの方向（Ｙ方向）に磁界が発生する。電流検出装置の磁気検出部２は、電流路１を流れる電流により発生する磁界の強度を検出する。
【００１３】
磁気検出部２は、１つ又は複数の磁気検出素子を含み、各磁気検出素子の感磁軸は、矢印Ｄ１の方向（Ｙ方向に正の方向）、または矢印Ｄ２の方向（Ｙ方向に負の方向）となっている。
【００１４】
磁気検出部２の近傍には、磁気検出素子に接続され、電流路１から離れる方向へ伸びる、複数の配線１３ａ，１３ｂ，１３ｃ，１３ｄ，１３ｅ，１３ｆが設置されている。本実施の形態では、各配線１３ａ，１３ｂ，１３ｃ，１３ｄ，１３ｅ，１３ｆは、電流路１の通電方向（Ｘ方向）と直交するＹ方向へ伸びている。
【００１５】
図１には、電流路１の通電方向（Ｘ方向）と平行で、かつ複数の配線１３ａ，１３ｂ，１３ｃ，１３ｄ，１３ｅ，１３ｆの伸びる方向（本実施の形態では、Ｙ方向）とも平行な第１の面２０が、破線で示されている。本実施の形態では、第１の面２０は、Ｘ方向及びＹ方向へ広がる平面である。また、図１には、電流路１の通電方向（Ｘ方向）と直交する第２の面３０が、破線で示されている。本実施の形態では、第２の面３０は、Ｙ方向及びＺ方向へ広がる平面である。
【００１６】
磁気検出部２の磁気検出素子は、感磁軸の方向（矢印Ｄ１，Ｄ２の方向）が、第１の面２０上に存在するように設置されている。そして、各配線１３ａ，１３ｂ，１３ｃ，１３ｄ，１３ｅ，１３ｆは、第２の面３０の同一面上に配置されている。
【００１７】
磁気検出部２の磁気検出素子を、感磁軸の方向が、第１の面２０上に存在するように設置しているので、磁気検出素子を第２の面３０上に配置した場合（例えば、特許文献１）に比べて、電流路１の通電方向（Ｘ方向）と直交し、かつ複数の配線１３ａ，１３ｂ，１３ｃ，１３ｄ，１３ｅ，１３ｆの伸びる方向（本実施の形態では、Ｙ方向）とも直交する方向（Ｚ方向）の寸法を小さくすることが可能となる。特に、３相モータへ電流を供給する電流路等のように、複数の電流路が並列して設置される場合、電流検出装置は、電流路の並列方向において、できるだけ小型化することが望まれる。
【００１８】
そして、各配線１３ａ，１３ｂ，１３ｃ，１３ｄ，１３ｅ，１３ｆを、第２の面３０の同一面上に配置しているので、複数の配線を第１の面２０上に配置した場合に比べて、配線間の誘導起電力による電磁誘導ノイズが低減する。即ち、複数の配線を第１の面２０上に配置した場合、電流路の真下からＹ方向へ離れた位置において、配線と配線の間で、電流路１を流れる電流値の変動により発生した磁界が、第１の面２０と交差する。そのため、配線間にループが形成されて、誘導起電力が発生する。これに対し、複数の配線を第２の面３０の同一面上に配置した場合、磁界が配線と配線との間で第２の面３０と交差しないので、配線間の誘導起電力の発生が抑制される。
【００１９】
また、磁気検出部２の磁気検出素子は、感磁軸の方向（矢印Ｄ１，Ｄ２の方向）が、電流路１を流れる電流により発生する磁界の方向と同じ方向又は逆方向となるように設置されている。これにより、感磁軸の方向が磁界の方向と交差する場合に比べて、電流路１を流れる電流により発生する磁界がより高感度で検出される。なお、磁気検出素子の感磁軸の方向は、第１の面２０上であって第２の面３０に沿うように存在することが好ましいが、第２の面３０に対して約±１０°程度までであれば若干傾斜していてもよい。
【００２０】
（第１の実施の形態の作用及び効果）
以上説明した第１の実施の形態によれば、以下のような作用及び効果が得られる。
【００２１】
（１）磁気検出部２の磁気検出素子を、感磁軸の方向が、電流路１の通電方向（Ｘ方向）と平行で、かつ複数の配線１３ａ，１３ｂ，１３ｃ，１３ｄ，１３ｅ，１３ｆの伸びる方向（Ｙ方向）とも平行な第１の面２０上に存在するように設置しているので、電流路１の通電方向（Ｘ方向）と直交し、かつ複数の配線１３ａ，１３ｂ，１３ｃ，１３ｄ，１３ｅ，１３ｆの伸びる方向（Ｙ方向）とも直交する方向（Ｚ方向）の寸法を小さくすることが可能となる。そして、各配線１３ａ，１３ｂ，１３ｃ，１３ｄ，１３ｅ，１３ｆを、電流路１の通電方向（Ｘ方向）と直交する第２の面３０の同一面上に配置しているので、配線間の誘導起電力による電磁誘導ノイズが低減する。従って、小型の構成で、電流路１を流れる電流により発生する磁界を高精度に検出して、電流路１を流れる電流を精度良く検出することが可能である。
【００２２】
（２）磁気検出部２の磁気検出素子の感磁軸の方向（矢印Ｄ１，Ｄ２の方向）が、電流路１を流れる電流により発生する磁界の方向と同じ方向又は逆方向であるので、電流路１を流れる電流により発生する磁界を高感度で検出することが可能となる。
【００２３】
（３）各配線１３ａ，１３ｂ，１３ｃ，１３ｄ，１３ｅ，１３ｆを、電流路１の通電方向（Ｘ方向）と直交する第２の面３０上に配置しているので、各配線１３ａ，１３ｂ，１３ｃ，１３ｄ，１３ｅ，１３ｆを所望の位置まで伸ばす場合に、必要な配線の長さを最小限に抑えて、装置をさらに小型化することができる。
【００２４】
（第１の実施例）
図２は、本発明の第１の実施例に係る電流検出装置の斜視図である。本実施例は、第１の実施の形態に対応して、複数の配線層からなる多層構造を有する配線基板１０に、複数の配線１３ａ，１３ｂ，１３ｃ，１３ｄ，１３ｅ，１３ｆを設けて、磁気検出素子を含む磁気検出部２を搭載したものである。
【００２５】
矢印Ｉの方向（Ｘ方向）に電流が流れる電流路１の下方に、配線基板１０が設置されている。配線基板１０には、後述する磁気検出素子を含む磁気検出部２が搭載されており、磁気検出部２の磁気検出素子は、感磁軸の方向が、図１の第１の面２０上に存在するように設置されている。配線基板１０も同様に図１の第１の面２０上に存在するように設置されている。
【００２６】
図３は、本発明の第１の実施例に係る電流検出装置の上面図である。配線基板１０の上面には、磁気検出部２の磁気検出素子が接続される複数の第１の端子１１ａ，１１ｂ，１１ｃ，１１ｄ，１１ｅ，１１ｆと、磁気検出素子に対して信号を入出力するための複数の第２の端子１２ａ，１２ｂ，１２ｃ，１２ｄ，１２ｅ，１２ｆとが設けられている。また配線基板１０には、複数の第１の端子１１ａ，１１ｂ，１１ｃ，１１ｄ，１１ｅ，１１ｆと複数の第２の端子１２ａ，１２ｂ，１２ｃ，１２ｄ，１２ｅ，１２ｆとの間をつなぐ、複数の配線１３ａ，１３ｂ，１３ｃ，１３ｄ，１３ｅ，１３ｆが設けられている。なお、配線基板１０の上面には、これらの複数の配線の内の、配線１３ａのみが配置されている。
【００２７】
図４は、磁気検出部２の構成を示す図である。本実施例において、磁気検出部２は、４つの磁気検出素子３，４，５，６を有するフルブリッジ構造となっている。各磁気検出素子３，４，５，６は、ＧＭＲ素子からなり、電流路を流れる電流により発生する磁界の強度を検出する。
【００２８】
ＧＭＲ素子は、ホール素子に比べて、高感度である。より具体的には、ホール素子の最小磁界検出感度は０．５Ｏｅ（空気中での磁束密度に換算して０．０５ｍＴ）であるのに対し、ＧＭＲ素子では０．０２Ｏｅ（空気中での磁束密度に換算して０．００２ｍＴ）である。また、ＧＭＲ素子は、例えばホール素子等の他の磁気検出素子に比べて、応答速度が速い。そして、ＧＭＲ素子は、例えば磁界の変化を捉えるコイル等とは異なり、磁界そのものを直接検出するため、磁界の微小な変化にも敏感に対応することが可能である。従って、各磁気検出素子３，４，５，６としてＧＭＲ素子を用いることにより、電流路を流れる電流により発生した磁界の検出精度が向上する。
【００２９】
磁気検出素子３と磁気検出素子４とは、直列に接続されており、磁気検出素子５と磁気検出素子６とは、直列に接続されている。そして、磁気検出素子３，４の直列接続部と、磁気検出素子５，６の直列接続部とが、並列に接続されている。
【００３０】
対角線の方向に位置する磁気検出素子３と磁気検出素子６とは、矢印で示す感磁軸の方向が、互いに同じ方向となるように配置されている。もう一方の対角線の方向に位置する磁気検出素子４と磁気検出素子５とは、矢印で示す感磁軸の方向が、互いに同じ方向で、かつ磁気検出素子３及び磁気検出素子６の感磁軸の方向とは、逆方向となるように配置されている。
【００３１】
磁気検出素子３，４の直列接続部、及び磁気検出素子５，６の直列接続部には、端子Ｖｃｃと端子ＧＮＤとの間に駆動電圧が印加される。そして、第１の出力が、磁気検出素子３と磁気検出素子４との間の端子Ｖｏｕｔ１から出力され、第２の出力が、磁気検出素子５と磁気検出素子６との間の端子Ｖｏｕｔ２から出力される。検出回路７は、端子Ｖｏｕｔ１から出力された第１の出力と、端子Ｖｏｕｔ２から出力された第２の出力との差から、電流路１を流れる電流の大きさを検出する。
【００３２】
さらに、磁気検出部２には、ＧＭＲ素子に対するバイアス磁界を発生する、図示しないバイアスコイルが設けられており、バイアスコイルへ電圧を印加するための図示しない２つの端子が設置されている。従って、本実施例において、磁気検出部２には、合計６つの端子が設置されている。
【００３３】
図３において、第１の端子１１ａは、例えば、端子Ｖｃｃに接続される。第１の端子１１ｂは、例えば、端子ＧＮＤに接続される。第１の端子１１ｃは、例えば、端子Ｖｏｕｔ１に接続される。第１の端子１１ｄは、例えば、端子Ｖｏｕｔ２に接続される。第１の端子１１ｅ，１１ｆは、例えば、バイアスコイルのための端子にそれぞれ接続される。磁気検出部２の各端子と、第１の端子１１ａ，１１ｂ，１１ｃ，１１ｄ，１１ｅ，１１ｆとの接続は、例えば、ワイヤーボンディング等で行われる。
【００３４】
図５は、図３のＡ−Ａ線断面図である。配線基板１０は、複数の配線層１４ａ，１４ｂ，１４ｃ，１４ｄ，１４ｅ，１４ｆからなる多層構造を有している。本実施例では、各配線層１４ａ，１４ｂ，１４ｃ，１４ｄ，１４ｅ，１４ｆの厚さは、例えば０．２ｍｍ程度である。配線層１４ａには、配線１３ａが配置されている。配線層１４ｂには、配線１３ｂが配置されている。配線層１４ｃには、配線１３ｃが配置されている。配線層１４ｄには、配線１３ｄが配置されている。配線層１４ｅには、配線１３ｅが配置されている。配線層１４ｆには、配線１３ｆが配置されている。各配線層１４ａ，１４ｂ，１４ｃ，１４ｄ，１４ｅ，１４ｆの配線１３ａ，１３ｂ，１３ｃ，１３ｄ，１３ｅ，１３ｆの上には、絶縁材が充填されている。
【００３５】
各配線１３ａ，１３ｂ，１３ｃ，１３ｄ，１３ｅ，１３ｆは、図面横方向の同じ位置に配置され、図１の第２の面３０の同一面上に配置されている。従って、複数の配線１３ａ，１３ｂ，１３ｃ，１３ｄ，１３ｅ，１３ｆは、配線基板１０の複数の配線層１４ａ，１４ｂ，１４ｃ，１４ｄ，１４ｅ，１４ｆに、配線基板１０の厚さ方向に離れて配置されている。
【００３６】
なお、磁気検出素子３，４，５，６のバイアスコイルに接続される配線は、必ずしも他の配線と同じ位置に配置される必要はない。従って、例えば、配線１３ｅ，１３ｆがバイアスコイルに接続される場合、配線１３ｅ，１３ｆを、配線層１４ａ，１４ｂ，１４ｃ，１４ｄのいずれかに、その層の他の配線と並列して設置してもよい。
【００３７】
図６は、配線基板１０の各配線層を示す図である。図６は、図５に示す複数の配線層１４ａ，１４ｂ，１４ｃ，１４ｄ，１４ｅ，１４ｆを、引き離して上下方向に配置したときの斜視図である。配線層１４ａにおいて、配線１３ａは、一端が第１の端子１１ａに接続され、他端が第２の端子１２ａに接続されている。
【００３８】
配線層１４ｂにおいて、配線１３ｂは、一端が第１の端子１１ｂに接続され、他端が第２の端子１２ｂに接続されている。配線層１４ｂの第１の端子１１ｂと、配線層１４ａの第１の端子１１ｂとは、基板１０の厚さ方向に設けたスルーホールにより接続されている。また、配線層１４ｂの第２の端子１２ｂと、配線層１４ａの第２の端子１２ｂとは、基板１０の厚さ方向に設けたスルーホールにより接続されている。
【００３９】
配線層１４ｃにおいて、配線１３ｃは、一端が第１の端子１１ｃに接続され、他端が第２の端子１２ｃに接続されている。配線層１４ｃの第１の端子１１ｃと、配線層１４ａの第１の端子１１ｃとは、基板１０の厚さ方向に設けたスルーホールにより接続されている。また、配線層１４ｃの第２の端子１２ｃと、配線層１４ａの第２の端子１２ｃとは、基板１０の厚さ方向に設けたスルーホールにより接続されている。以下、配線層１４ｄ〜１４ｆも同様の構成である。
【００４０】
（第１の実施例の効果）
以上説明した第１の実施例によれば、磁気検出素子３，４，５，６を、複数の配線層からなる多層構造を有する配線基板１０に搭載し、複数の配線１３ａ，１３ｂ，１３ｃ，１３ｄ，１３ｅ，１３ｆを、配線基板１０の複数の配線層に、配線基板１０の厚さ方向に離して配置することにより、電流路１の通電方向（Ｘ方向）と直交し、かつ複数の配線１３ａ，１３ｂ，１３ｃ，１３ｄ，１３ｅ，１３ｆの伸びる方向（Ｙ方向）とも直交する方向（Ｚ方向）の寸法をさらに小さくすることができる。
【００４１】
［第２の実施の形態］
図７は、本発明の第２の実施の形態に係る電流検出装置を説明する図である。本実施の形態では、各配線１３ａ，１３ｂ，１３ｃ，１３ｄ，１３ｅ，１３ｆは、電流路１の通電方向（Ｘ方向）と直交するＹ方向に対して、Ｘ方向に角度θだけ傾いた方向へ伸びている。図７には、電流路１の通電方向（Ｘ方向）と直交する面３０に対して、Ｘ方向に角度θだけ傾いた第２の面３０’が、破線で示されている。各配線１３ａ，１３ｂ，１３ｃ，１３ｄ，１３ｅ，１３ｆは、第２の面３０’の同一面上に配置されている。その他の構成は、図１に示した第１の実施の形態と同様である。
【００４２】
磁気検出部２の磁気検出素子を、感磁軸の方向が、第１の面２０上に存在するように設置しているので、電流路１の通電方向（Ｘ方向）と直交し、かつ複数の配線１３ａ，１３ｂ，１３ｃ，１３ｄ，１３ｅ，１３ｆの伸びる方向（本実施の形態では、Ｙ方向に対して、Ｘ方向に角度θだけ傾いた方向）とも直交する方向（Ｚ方向）の寸法を小さくすることが可能となる。
【００４３】
そして、各配線１３ａ，１３ｂ，１３ｃ，１３ｄ，１３ｅ，１３ｆを、第２の面３０’の同一面上に配置しているので、複数の配線を第１の面２０上に配置した場合に比べて、配線間の誘導起電力による電磁誘導ノイズが低減する。
【００４４】
（第２の実施の形態の作用及び効果）
以上説明した第２の実施の形態によれば、第１の実施の形態について説明した（１）及び（２）の作用及び効果と同様の作用及び効果が得られる。
【００４５】
さらに、配線１３ａ，１３ｂ，１３ｃ，１３ｄ，１３ｅ，１３ｆを、電流路１の通電方向（Ｘ方向）と直交する面３０に対して、電流路１の通電方向（Ｘ方向）に角度θだけ傾いた第２の面３０’に配置しているので、配線１３ａ，１３ｂ，１３ｃ，１３ｄ，１３ｅ，１３ｆを所望の方向へ伸ばすことが可能となり、装置構成の自由度が増す。
【００４６】
（第２の実施例）
図８は、本発明の第２の実施例に係る電流検出装置の斜視図である。本実施例は、第２の実施の形態に対応して、複数の配線層からなる多層構造を有する配線基板１０’に、複数の配線１３ａ，１３ｂ，１３ｃ，１３ｄ，１３ｅ，１３ｆを設けて、磁気検出素子を含む磁気検出部２を搭載したものである。
【００４７】
図２に示した第１の実施例では、配線基板１０は、長手方向がＹ方向となるように設置されている。それに対し、本実施例では、配線基板１０’は、長手方向がＹ方向に対してＸ方向に角度θだけ傾いた方向となるように設置されている。
【００４８】
図９は、本発明の第２の実施例に係る電流検出装置の上面図である。配線基板１０’に搭載された磁気検出部２は、配線１３ａ，１３ｂ，１３ｃ，１３ｄ，１３ｅ，１３ｆの伸びる方向に対し、角度θだけ傾けて設置されている。これにより、各配線１３ａ，１３ｂ，１３ｃ，１３ｄ，１３ｅ，１３ｆを、電流路１の通電方向（Ｘ方向）と直交するＹ方向に対して、Ｘ方向に角度θだけ傾いた方向へ伸びるように設置しても、磁気検出部２の磁気検出素子の感磁軸の方向を、電流路１を流れる電流により発生する磁界の方向と同じ方向又は逆方向とすることができる。配線基板１０’の多層構造は、図５及び図６に示した第１の実施例の構造と同様である。
【００４９】
（第２の実施例の効果）
以上説明した第２の実施例によれば、第１の実施例について説明した効果と同様の効果が得られる。
【００５０】
（実施の形態のまとめ）
次に、以上説明した実施の形態から把握される技術思想について、実施の形態における符号等を援用して記載する。ただし、以下の記載における各符号は、特許請求の範囲における構成要素を実施の形態に具体的に示した部材等に限定するものではない。
【００５１】
［１］電流路（１）を流れる電流により発生する磁界の強度を検出する磁気検出素子（３，４，５，６）と、磁気検出素子（３，４，５，６）の出力から、電流路（１）を流れる電流の大きさを検出する検出回路（７）と、磁気検出素子（３，４，５，６）に接続され、電流路（１）から離れる方向へ伸びる複数の配線（１３ａ，１３ｂ，１３ｃ，１３ｄ，１３ｅ，１３ｆ）と、を備え、磁気検出素子（３，４，５，６）は、感磁軸の方向が、電流路（１）の通電方向と平行で、かつ複数の配線（１３ａ，１３ｂ，１３ｃ，１３ｄ，１３ｅ，１３ｆ）の伸びる方向とも平行な第１の面（２０）上に存在するように設置され、複数の配線（１３ａ，１３ｂ，１３ｃ，１３ｄ，１３ｅ，１３ｆ）は、第１の面（２０）と直交する第２の面（３０／３０’）の同一面上に配置された、電流検出装置。
【００５２】
［２］上記［１］において、第２の面（３０）は、電流路（１）の通電方向と直交する、電流検出装置。
【００５３】
［３］上記［１］において、第２の面（３０’）は、電流路（１）の通電方向と直交する面に対して、電流路（１）の通電方向に傾いている、電流検出装置。
【００５４】
［４］磁気検出素子（３，４，５，６）が搭載された配線基板（１０／１０’）を備え、配線基板（１０／１０’）は、複数の配線層からなる多層構造を有し、複数の配線（１３ａ，１３ｂ，１３ｃ，１３ｄ，１３ｅ，１３ｆ）は、配線基板（１０／１０’）の複数の配線層に、配線基板（１０／１０’）の厚さ方向に離れて配置された、電流検出装置。
【００５５】
［５］電流路（１）を流れる電流により発生する磁界の強度を検出する磁気検出素子（３，４，５，６）と、磁気検出素子（３，４，５，６）に接続され、電流路（１）から離れる方向へ伸びる複数の配線（１３ａ，１３ｂ，１３ｃ，１３ｄ，１３ｅ，１３ｆ）と、を設け、磁気検出素子（３，４，５，６）を、感磁軸の方向が、電流路（１）の通電方向と平行で、かつ複数の配線（１３ａ，１３ｂ，１３ｃ，１３ｄ，１３ｅ，１３ｆ）の伸びる方向とも平行な第１の面（２０）上に存在するように設置し、複数の配線（１３ａ，１３ｂ，１３ｃ，１３ｄ，１３ｅ，１３ｆ）を、第１の面（２０）と直交する第２の面（３０／３０’）の同一面上に配置して、磁気検出素子（３，４，５，６）の出力から、電流路（１）を流れる電流の大きさを検出する、電流検出方法。
【００５６】
［６］上記［５］において、第２の面（３０）を、電流路（１）の通電方向と直交させた、電流検出方法。
【００５７】
［７］上記［５］において、第２の面（３０’）を、電流路（１）の通電方向と直交する面に対して、電流路（１）の通電方向に傾けた、電流検出方法
【００５８】
［８］磁気検出素子（３，４，５，６）を、複数の配線層からなる多層構造を有する配線基板（１０／１０’）に搭載し、複数の配線（１３ａ，１３ｂ，１３ｃ，１３ｄ，１３ｅ，１３ｆ）を、配線基板（１０／１０’）の複数の配線層に、配線基板（１０／１０’）の厚さ方向に離して配置する、電流検出方法。
【００５９】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００６０】
本発明は、その趣旨を逸脱しない範囲で適宜変形して実施することが可能である。例えば、上記実施例では、各磁気検出素子３，４，５，６としてＧＭＲ素子を使用しているが、他の磁気検出素子、例えばホール素子、ＡＭＲ素子、ＴＭＲ素子等を用いてもよい。また、上記実施例では、４つの磁気検出素子３，４，５，６が設けられているが、磁気検出素子の数は、これに限るものではない。
【００６１】
そして、以上説明した実施の形態では、６本の配線１３ａ，１３ｂ，１３ｃ，１３ｄ，１３ｅ，１３ｆが設けられているが、配線の数はこれに限らず、本発明は、磁気検出素子に接続された複数の配線を備える場合に適用される。
【００６２】
上述の実施の形態では、配線基板１０／１０’及びその配線１３ａ，１３ｂ，１３ｃ，１３ｄ，１３ｅ，１３ｆが直線状に電流路から離れる場合について説明したが、例えば、円弧状、鋸歯状、櫛歯状等のように非直線的に電流路から離れるようになっていてもよい。
【符号の説明】
【００６３】
１…電流路
２…磁気検出部
３，４，５，６…磁気検出素子
７…検出回路
１０，１０’…配線基板
１１ａ，１１ｂ，１１ｃ，１１ｄ，１１ｅ，１１ｆ…第１の端子
１２ａ，１２ｂ，１２ｃ，１２ｄ，１２ｅ，１２ｆ…第２の端子
１３ａ，１３ｂ，１３ｃ，１３ｄ，１３ｅ，１３ｆ…配線
１４ａ，１４ｂ，１４ｃ，１４ｄ，１４ｅ，１４ｆ…配線層
２０…第１の面
３０，３０’…第２の面
【図１】
2016056137.tif 000003
【図２】
2016056137.tif 000004
【図３】
2016056137.tif 000005
【図４】
2016056137.tif 000006
【図５】
2016056137.tif 000007
【図６】
2016056137.tif 000008
【図７】
2016056137.tif 000009
【図８】
2016056137.tif 000010
【図９】
2016056137.tif 000011
【国際調査報告】
2016056137.tif 000012
2016056137.tif 000013
2016056137.tif 000014
2016056137.tif 000015